(57)【要約】  乳房インプラント用の挿入型の予形成サイザー（２０）は、変形および乳房組織内に形成される空洞部への挿入後にその形状を取り戻す。サイザーは、空洞部の大きさを診断し、使用する乳房インプラントの適切な大きさおよび形状を決定するために用いられる。インプラントサイザーは使い捨てであることが意図され、医療用発泡材またはエラストマーのような費用効率の高い材料からなる。発泡体またはエラストマー材料は、極めて小型な納品形態に圧縮または折り畳まれ、その後、周囲の乳房組織による抑圧に反して弾性的に膨張し元の形状に戻ることが可能である。
2011505977.tif 000002
【特許請求の範囲】
【請求項１】
乳房組織内の空洞部への切開部を形成することを含む乳房インプラント手術のために患者の準備をすることと、
対応するインプラントと概ね同じ大きさで非圧縮容積を有する弛緩サイズから、非圧縮容積より小さい挿入容積を有する挿入サイズへインプラントサイザーを圧縮することが可能である高圧縮性材料からなる予形成されたインプラントサイザーを設けることと、
前記インプラントサイザーを弛緩サイズから挿入サイズに圧縮することと、
前記圧縮されたインプラントサイザーを切開部から空洞部へ挿入し、その中で拡張させることと、
前記インプラントサイザーが挿入された乳房の外観を観察することと、
前記インプラントサイザーを空洞部から除去することと
を含む乳房インプラントサイザー用のインプラントの所望の大きさおよび形状を診断するための方法。
【請求項２】
前記インプラントサイザーを、非圧縮容積の約８０％未満の挿入容積である挿入サイズへ圧縮することを含む、請求項１に記載の方法。
【請求項３】
前記インプラントサイザーを、非圧縮容積の約５０％未満の挿入容積である挿入サイズへ圧縮することを含む、請求項２に記載の方法。
【請求項４】
前記圧縮するステップが、インプラントサイザーを折り畳むことと、インプラントサイザーを細長い形状に巻くこととからなるグループから選択される動作を含む、請求項１に記載の方法。
【請求項５】
前記高圧縮性材料が、セルフスキニングフォームからなる、請求項１に記載の方法。
【請求項６】
乳房組織内の空洞部への切開部を形成することを含む乳房インプラント手術のために患者の準備をするステップと、
対応するインプラントと概ね同じ大きさで折り畳まれていない容積を有する弛緩サイズから、折り畳まれていない容積より小さい挿入容積を有する挿入サイズへインプラントサイザーを折り畳むことを可能にする前方の連続壁部と後方の中空空間とを含む折り畳み式成形体からなる予形成されたインプラントサイザーを設けるステップと、
前記インプラントサイザーを弛緩サイズから挿入サイズに折り畳むステップと、
前記折り畳まれたインプラントサイザーを切開部から空洞部へ挿入し、その中で拡張させるステップと、
前記インプラントサイザーが挿入された乳房の外観を観察するステップと、
前記インプラントサイザーを空洞部から除去するステップと
を含む乳房インプラントサイザー用のインプラントの所望の大きさおよび形状を診断するための方法。
【請求項７】
前記インプラントサイザーが、少なくとも１つの中空部をその後方側に含み、該中空部がインプラントサイザーを折り畳むことを可能にする折り畳み用凹部を提供する、請求項６に記載の方法。
【請求項８】
前記折り畳むステップが、インプラントサイザーを細長い形状に巻くこと、およびインプラントサイザーを折り畳むことのいずれかを含む、請求項６に記載の方法。
【請求項９】
前記折り畳み式成形体が、高圧縮性材料からなる、請求項６に記載の方法。
【請求項１０】
前記高圧縮性材料が、少なくとも部分的には発泡体である、請求項９に記載の方法。
【請求項１１】
非圧縮容積の約８０％未満に圧縮可能である高圧縮性材料からなる予形成された非中空構造を備える、乳房インプラント用の挿入型サイザー。
【請求項１２】
前記高圧縮性材料が、その非圧縮容積の約５０％未満に圧縮可能である、請求項１３に記載のサイザー。
【請求項１３】
前記高圧縮性材料が、セルフスキニングフォームである、請求項９に記載のサイザー。
【請求項１４】
前方の連続壁部と後方の中空空間とを含む、予形成された折り畳み式成形体を備える、乳房インプラント用の挿入型サイザー。
【請求項１５】
前記折り畳み式成形体が、高圧縮性材料からなる、請求項１４に記載のサイザー。
【請求項１６】
前記高圧縮性材料が、少なくとも部分的には発泡体である、請求項１５に記載のサイザー。
【請求項１７】
前記折り畳み式成形体が、折り畳み方向を定める折り畳み用凹部を含む、請求項１４に記載のサイザー。
【請求項１８】
対応するインプラントと概ね同じ大きさで弛緩容積を有する弛緩サイズから、弛緩容積より小さい挿入容積を有する挿入サイズへ折り畳まれることが可能である予形成された販売のための折り畳み式インプラントサイザーの少なくとも２つの異なる大きさまたは形状のもの一式を備える、挿入型乳房インプラントサイザーのセット。
【請求項１９】
前記セット内の各インプラントサイザーが、高圧縮性材料からなる、請求項１８に記載のセット。
【請求項２０】
当該セットが、１つの基部と、完全なサイザーを形成するために該基部に連結する複数の異なる大きさの輪郭部とを含む、請求項１８に記載のセット。
【発明の詳細な説明】
【技術分野】
【０００１】
［関連出願］
本出願は、２００７年１２月１０日に提出された米国特許仮出願第６１／０１２，６５４号および２００８年１１月２０日に提出された米国特許出願第１２／２７５，１１１号に基づき優先権を主張し、その出願全体が参照によって本明細書内に組み込まれる。
【０００２】
本発明は、乳房インプラント用のサイザー、特に圧縮性が高く、使い捨てできる乳房インプラントサイザーに関する。
【背景技術】
【０００３】
埋め込み型プロテーゼは、体内組織を代替または増大させるために一般的に使用される。乳癌の際には、乳腺の一部または全体を除去しなくてはならない場合があり、くぼみとなるその周囲の組織に埋め込み型プロテーゼを埋め込むことが必要である。インプラントは、周囲の組織を支持し、身体の外観を維持するために用いられる。乳房再建手術以外にも、豊胸手術においても乳房内に柔らかいインプラントを入れ、その際組織拡張器または解剖器具を用いてくぼみまたは空洞部の作成、もしくは拡張が事前に行われることもある。これらの手術において、インプラントは患者の乳房内の空洞部に配置される。
【０００４】
ソフトインプラントは通常、比較的薄くかつ非常に柔軟であり、加硫（硬化）シリコンエラストマーからなる外皮またはシェルを含む。シェルは、シリコンジェルまたは生理食塩水のいずれかで満たされている。シェルの充填は、切開部からシェルが挿入される前、または後に行われる。
【０００５】
大きさおよび形状の観点から特定の乳房インプラントを選択するには、外科医の提言と一部には患者の希望を合わせて選択が行われる。しかし医師は、インプラントの大きさおよび形状、切開の位置、ポケット切開、インプラント配置基準について、患者の骨格ならびに希望する外観上の結果を考慮して慎重に判断しなくてはならない。適切なインプラントを決めるために利用可能な道具の１つが、一時的に埋め込み可能であるサイザーである。サイザーは、実際に外科的切開により挿入され、患者の乳房内の空洞部に一時的に配置される。インプラントサイザーにより、医師は同様の大きさおよび形状のインプラントの審美的結果を実際に確認することができ、またインプラントが配置される空洞部の大きさを判断するためにもこれは有用である。このようなサイザーは、一定の容積まで予め充填してあるか、体内で調整されることが可能である。
【０００６】
インプラントサイザーの一種は、生理食塩水で膨らませて調節される。インプラント空洞部またはポケットが作成されると、外科医は膨張していないサイザーをインプラントポケットに配置し、患者が直立姿勢（胸部が完全に直立）になるよう手術台の上半分を上昇させる。次に胸部が不自然でない程度に厚くなってくる程度にまで、サイザーが徐々に膨らまされる。このようにして、豊かでありながら自然な胸部の形を形成する容積が決定される。しかし、この工程は時間がかかり不正確であり、容積が細かく調整可能である生理食塩水が充填されるインプラントに最も適している。この膨張可能であるサイザーは、特定のインプラントに対応するように予め充填されてはいないが、その大きさおよび形状は可変である。
【０００７】
別の種類のインプラントサイザーは、ジェルを充填したインプラントと類似の方法で構成されており、柔らかい外側シリコンシェルを有し、中空の内部にシリコンジェルが充填されている。予め充填されていることによりこのサイザーの膨張は、調節式のものより大幅に早くなる。このような予め充填されているインプラントサイザーにより、外科医は類似のインプラントが埋め込まれた後の見た目および感触を確認することができるが、短所もある。まず、ジェルが充填されるインプラントサイザーは柔らかく、柔軟性があるが、比較的圧縮性がなく、そのため実際に埋め込む際に小さい切開部を通すことが困難になる。次に、ジェルが充填されるインプラントと同様に、形の相対的欠如、またはいうなればスポンジのような状態により、インプラントサイザーを適切な方向へ操作すること、また空洞部内への挿入後の位置決めが妨げられてしまう可能性がある。また、このようなインプラントサイザーを作成する費用も比較的高く、製造業者は赤字で販売せざるを得なくなる。最後に、ジェルが充填されるインプラントは、再利用することが意図されるため、次の使用時まで加圧滅菌器において入念に滅菌処理されなくてはならない。これは時間がかかるだけでなく、洗浄および滅菌処理が製造業者の推奨通り行われなかった場合には、感染源、ならびに患者間の二次感染を発生させる可能性ともなり得る。
【０００８】
したがって、既存のインプラントサイザーの短所を克服するインプラントサイザーが必要とされる。
【発明の概要】
【０００９】
本発明は、既存の挿入型の乳房インプラントサイザーにおける多数の問題を、変形され、乳房組織内に形成された空洞部内へ挿入された後にその形状を再び取り戻す予形成サイザーにより解決する。インプラントサイザーは、使い捨てであり、医療用発泡材またはエラストマーのような費用効率の高い材料からなることが望ましい。発泡体またはエラストマー材料は、極めて小型な納品形態に圧縮または折り畳まれ、その後、周囲の乳房組織による抑圧に反して弾性的に膨張し元の形状に戻ることが可能である。
【００１０】
本発明の一態様では、乳房インプラント手術におけるインプラントの所望の大きさおよび形状を診断する方法は、始めに乳房組織内の空洞部へ至る切開部を形成して患者の乳房インプラント手術の準備をすることを含む。高圧縮性材料からなる予形成されたインプラントサイザーが設けられ、インプラントサイザーは、対応するインプラントと概ね同じ大きさで非圧縮容積を有する弛緩サイズから、非圧縮容積より小さい挿入容積を有する挿入サイズへ圧縮されることが可能である。外科医は、インプラントサイザーをその弛緩サイズから挿入サイズまで圧縮し、切開部から空洞部へ挿入し、その中で拡張させる。この方法は、インプラントサイザーが挿入された乳房の外見的特徴を観察し、切開部を閉じる前にインプラントサイザーを除去することを含む。
【００１１】
この方法は、インプラントサイザーを非圧縮容積の約８０％未満、または約５０％未満の挿入容積を有する挿入サイズに圧縮することを含むことが可能である。前記圧縮するステップは、インプラントサイザーを折り畳むことを含み、インプラントサイザーは少なくとも１つの中空部をその後部側に有し、該中空部はインプラントサイザーを折り畳むための折り畳み用凹部を提供する。あるいは、前記圧縮するステップは、インプラントサイザーを細長い形状に巻くことを含む。
【００１２】
別の方法では、まず上述の通りに患者の準備をすることを含む。前方の連続壁部と後方の中空空間とを含む別の予形成された折り畳み式インプラントサイザーが設けられ、これによりインプラントサイザーは対応するインプラントと概ね同じ大きさで折り畳まれていない容積を有する弛緩サイズから、折り畳まれていない容積より小さい挿入容積を有する挿入サイズに折り畳まれることが可能になる。外科医は、インプラントサイザーをその弛緩サイズから挿入サイズに折り畳み、切開部から空洞部へ挿入し、その中で拡張させる。そしてここでも、インプラントサイザーを除去し切開部を閉じる前に、インプラントサイザーが入った乳房の外見的特徴が観察される。折り畳み式成形体は、高圧縮性の材料からなり、好適には少なくともその一部は発泡体である。
【００１３】
本発明の別の態様は、非圧縮実容積の８０％未満、場合によっては５０％未満まで圧縮可能である高圧縮性材料からなる予形成された非中空構造を備える挿入型乳房インプラントサイザーである。サイザーは、長期間のインプラントには適していない材料からなることが可能である。一実施形態では、高圧縮性材料は、セルフスキニングフォームのような外皮を有する内核を備える。
【００１４】
本発明のさらに別の態様は、予形成され前方の連続壁部と後方の中空空間とを含む折り畳み式成形体を備える挿入型乳房インプラントサイザーである。望ましくは、折り畳み式成形体は高圧縮性材料からなり、少なくともその一部は発泡体である。折り畳み式成形体は、折り畳みを容易にするため折り畳み方向を定める折り畳み用凹部を含むことが可能である。
【００１５】
本発明は、挿入型の乳房インプラントサイザーのセットにも関しており、これは販売用の少なくとも２つの異なる大きさまたは形状を有する予形成された折り畳み式インプラントサイザーを備える。サイザーは、対応するインプラントと概ね同じ大きさで弛緩容積を有する弛緩サイズから、弛緩容積より小さい挿入容積を有する挿入サイズへ折り畳まれることが可能である。このセットにおける各インプラントサイザーは好適には高圧縮性材料からなる。一実施形態では、このセットは１つの基部と複数の異なる大きさの輪郭部とを含み、輪郭部はそれぞれサイザー全体を形成するため基部と連結する。２つの構成部品にそれぞれ一体的に形成され、妨げとならないハンドル部が接続および分離を容易にする。このようなハンドル部は、挿入、位置決め、ならびにポケットからの除去を容易にするために、本明細書において説明するサイザーの実施形態のいずれにおいても使用可能である。
【００１６】
本発明の特徴および長所は、明細書、請求項および添付の図面を参照することによって、より明確に理解できることとなる。
【図面の簡単な説明】
【００１７】
【図１Ａ】本発明の乳房インプラントサイザーの一例の側方からの図である。
【図１Ｂ】本発明の乳房インプラントサイザーの一例の前方からの図である。
【図１Ｃ】本発明の乳房インプラントサイザーの一例の後方からの図である。
【図２Ａ】本発明の乳房インプラントサイザーの別の一例の前方の図である。
【図２Ｂ】本発明の乳房インプラントサイザーの別の一例の後方の図である。
【図２Ｃ】本発明の乳房インプラントサイザーの別の一例の垂直断面の図である。
【図３Ａ】本発明の中空の乳房インプラントサイザーの一例の後方の図である。
【図３Ｂ】本発明の中空の乳房インプラントサイザーの一例の垂直断面の図である。
【図４Ａ】本発明の中空の乳房インプラントサイザーの別の一例の後方の図である。
【図４Ｂ】本発明の中空の乳房インプラントサイザーの別の一例の垂直断面の図である。
【図５Ａ】折り畳み用凹部を有する本発明の中空の乳房インプラントサイザーの一例の後方の図である。
【図５Ｂ】折り畳み用凹部を有する本発明の中空の乳房インプラントサイザーの一例の垂直断面の図である。
【図６】本発明の２つの構成部品からなる乳房インプラントサイザーの例の側面図である。
【図７】図６の２つの構成部品からなる乳房インプラントサイザーの下側の展開図である。
【図８】図６の２つの構成部品からなる乳房インプラントサイザーの基部の一例の斜視図である。
【図９】乳房インプラント患者の胴体の概略図であり、インプラント切開部の様々な位置、また弛緩サイズならびに乳房下部の切開部に入る挿入サイズに圧縮または巻かれた本発明のインプラントサイザーを示している。
【図１０】本発明の乳房インプラントサイザーが２つ挿入された後の乳房インプラント患者の胴体の概略図である。
【発明を実施するための形態】
【００１８】
本発明は、乳房組織内の空洞部への挿入がより簡単であり、比較的低コストであるため一回の使用後に使い捨てできる改良された乳房インプラントサイザーを提供する。挿入型サイザーは、乳房組織内に、すなわち外部サイザーとは対照的に内部に挿入されるよう設計されたサイザーである。本発明の乳房インプラントサイザーは、従来のインプラントサイザーとは対照的に圧縮可能または折り畳み可能である。圧縮可能とは、サイザーの容積を外圧により減少させることが可能であるということである。従来の予充填式乳房インプラントサイザーはジェルが充填された袋からなり、これは変形は可能であったものの圧縮は可能ではなかった。ここで圧縮性と非圧縮性の技術的区別を簡単に理解することが必要である。
【００１９】
流体力学では、非圧縮性流れは、分析を容易にするために使用される理想固体または流体の流れ（定容積流）である。実際には、全ての物質はある程度圧縮することが可能である。定容とは、材料特性ではなく、流れに関することである。実際、特定の状況下では圧縮性材料は（ほぼ）非圧縮性流れが可能である。全ての流体は、その最大速度がマッハ０．３未満である場合は非圧縮性（５％以内）挙動を有する。均質の非圧縮性材料は、終始一定密度を有する材料として定義される。したがって、一定密度を有する材料は常に非圧縮性流れに供されるが、その逆は当てはまらない。
【００２０】
厳密に言うと、水は圧縮することが可能であるが、高圧でもわずかにしか圧縮されない。実際の設計では、水は非圧縮性流体として考えられ、その密度は圧力により変化しない。物質の圧縮性は、原子がどれだけ密接に集まっているかによる。空気は、原子間にかなりの距離があり、原子をさらに密集させることが比較的簡単であるため、高い圧縮性を有する。液体の原子はそれよりも大幅に密に集まっており、これらをさらに密集させるためにはかなり大きな圧力を要する。固体もまた極めて大きい圧力の元にわずかに圧縮することが可能である。
【００２１】
したがって、本発明においては非圧縮性材料とは、終始一定の密度を有し、マッハ０．３未満の速度で非圧縮性流れを示す材料である。全ての一定密度の流体は、この非圧縮性材料の定義に該当する。また、非圧縮性材料の容積は、静的圧縮または外圧を受けてある公称容量（たとえば５％）を超えて低減することは不可能である。この点において、現在のジェル充填式インプラントサイザーは非圧縮性であり、これを小さい切開部を通すために外科医は一方の端部を変形させ、サイザーを切開部を通して押し込まなくてはならない。そして、乳房の空洞部内に入るとサイザーは所望の形状に自動的には回復せず、正しい位置に動かされなくてはならない。
【００２２】
一方で、本発明に係る圧縮性材料は高い圧縮性を有し、終始一定の密度ではない材料であり、実容積を低減させるために静的圧縮が可能である材料である。また、本発明の高圧縮性材料は、望ましくは少なくとも約５％、または元の実容積の少なくとも約８０％もしくは約８０％未満に圧縮して容積を低減させることが可能であり、材料によっては元の実容積の約５０％未満に圧縮可能である。さらに、いくつかの実施形態では本発明の材料は、実際のインプラントに相当する元の予形成された形状に生体内で回復可能である。
【００２３】
本発明の乳房インプラントサイザーの典型的な構成材料は、生体適合性ソフトプラスチックおよび／またはポリ塩化ビニル（ＰＶＣ）、熱可塑性エラストマー（ＴＰＥ）、シリコンエラストマーのようなエラストマー類を含む。エラストマーとは、弾性的な性質を備えるポリマーである。また、シリコンフォーム、ポリウレタンフォーム、ポリエチレンフォームおよびＴＰＥフォームが、本発明の乳房インプラントサイザーの高圧縮性材料のための候補となる。発泡体とは、気体（空気）の気孔を含み非常に低い密度を備える固体であり、軽量および圧縮性が評価される。発泡体はエラストマーから形成されることが可能であるが、エラストマーは多孔質ではない固形材料と見なされるため、「シリコンフォーム」のように単純に発泡体とは表されない。これらの材料の特有の物理的特性（たとえば圧縮性）は、化学組成および形成過程により変えることが可能である。したがって、本発明はこれらの材料、ならびに上述の通り高圧縮性を与えられた材料を包含する。
【００２４】
望ましくは、使用される材料は生体適合性を有し、患者にアレルギーまたはその他の反応を生じさせないものである。しかし、本発明の利点の１つは比較的低い製造コストであり、これによりサイザーは使い捨てにすることが可能になる。この点において、例に挙げた材料は、たとえば非アレルギー性で、一時的に体内に挿入するには安全であるが、長期使用については評価不要である。したがって本発明の一実施形態では、乳房インプラントサイザーは長期的なインプラントには適切ではない材料から作成される。たとえば、多くのＰＶＣおよびポリウレタン材料は認可を得ていない（たとえばＦＤＡより）、または長期インプラントには適切ではない。これらの材料は通常あまり高価ではなく、使い捨てを意図する場合には有効である。
【００２５】
圧縮性がもっぱら材料特性による乳房インプラントサイザーの他にも、本発明は圧縮性材料から作成される、またはこの材料から作成されない折り畳み可能である中空のまたはボウル状のサイザーも包含することを明記しておく。このような中空のサイザーは典型的には、前方の連続壁部と、後方の１つまたは複数の中空部または空洞部とから形成され、中空部によりサイザーが小型化され切開部を通って乳房の空洞部へ入ることが可能であり、ここでサイザーは弾性的に元の形状を取り戻す。たとえば、可撓性を有するが、上述の圧縮性の定義を満たしてはいない特定のポリマーも本発明の折り畳み式中空乳房インプラントサイザーを形成するために使用可能である。上述の通り、広く生体適合エラストマーと分類され、上述の圧縮性の定義に該当しない可撓性材料は、予形成された中空サイザーを折り畳み可能にすることが可能である。
【００２６】
一般に、本発明は予形成された圧縮式または折り畳み式の成形体からなる乳房インプラントサイザーを提供する。この構造は非中空（中空でない）であり、材料およびサイザー全体は圧縮性を有するか、または構造が中空であり、材料が圧縮性もしくは非圧縮性であるが、少なくともサイザーを折り畳み可能にする可撓性を有することが可能である。圧縮性または折り畳み式のいずれの実施形態でも、本発明のサイザーは元の形状に弾性的に展開し戻ることが可能である。さらに、サイザーは乳房組織の空洞部に挿入された後、またはその組織による圧力に反して拡張する十分な弾性を備えている。
【００２７】
本発明の乳房インプラントサイザー用の特に有用な圧縮性材料は、セルフスキニングフォームと呼ばれる。この材料では、乾燥または硬化、あるいは特殊な型の使用により気孔の少ない、または無孔の外層が形成される。乳房インプラントサイザーをセルフスキニングフォーム材料から形成することにより、柔らかい多孔質発泡体の中核部を覆う気孔の少ないまたは無孔の外皮層が作られる。外皮および発泡体中核部が同時に構成されることは、それぞれ別だった工程を１つにまとめることとなるためインプラントサイザーの製造が簡単になる。また、外皮の特性は、たとえば湿らせると非常に滑りやすくなる表面を形成することにより、小さい切開部から乳房へ挿入することを容易にするよう構成可能にする。
【００２８】
図１Ａから図１Ｃを参照し、第１の乳房インプラントサイザー２０の例を説明する。図１Ａは、サイザー２０の好適な涙滴形状の輪郭を側方から示す側面図であり、比較的平坦な後方側２２と成形された前方側２４とを有する。前方側２４は典型的にはやや球状の下側隆起２６を含み、薄い上側縁部２８へ先細っている。後方２２および前方２４の断面は円形であるが、わずかに楕円または所望のその他の形状も可能である。典型的には基部の寸法は、後方２２または前方２４の断面を見て最も大きい寸法が測定される。一部のインプラントと同様にサイザーには円形の基部を有するものもあるが、多くの場合、基部は水平または垂直寸法を有する楕円形である。
【００２９】
乳房インプラントサイザー２０の形状は「典型的な」乳房の形を示し、乳房インプラント自体にも一般的に使用されている。したがって、本発明の乳房インプラントサイザーは、乳房インプラントの形状と同様に成形可能であり、丸い基部および半球型断面を有するものも含まれる。実際に、本発明のサイザーは実際のインプラントに対応する形状を有することが望ましく、どれがもっとも望ましい結果をもたらすかを確認するために外科医は異なる輪郭および／または大きさのものを試すことを望むであろう。
【００３０】
乳房インプラントサイザー２０は、連続的な、全体として凸状の、または少なくとも中空ではない外面を有する。側面では前方側２４の下側隆起部２６の上にわずかな凹面または鞍形が見られる。この小さな凹面領域は、側方から見た際に前方側の輪郭の一部をなし、主に側部の輪郭は凸状のままであるため、以下に説明する特定の実施形態の観点での中空部とはみなされない。一平面において凹面を有する輪郭と「中空部」との区別は、水を保持することのできる窪みのない外観であるとしてサイザー２０を描写することによって可能である。サイザー２０は圧縮可能であり、上に定義したように、主に圧縮性材料から形成されている。一実施形態では、乳房インプラントサイザー２０はシリコンまたはポリウレタンのセルフスキニングフォームから形成される。
【００３１】
図２Ａから図２Ｃは、本発明の別の乳房インプラントサイザー３０の前方、後方および縦断面図である。サイザー３０はここでも、全体として平坦な後方側３２と全体として凸状の前方側３４とを有する固体構造を備える。前方側３４はここでも下側隆起部３６と比較的薄い上側部分３８とを含む。インプラントサイザー３０の外形は、図１Ａから図１Ｃのサイザー２０とは少し異なっており、図２Ｃの縦断面図ではやや三角形であり、起伏が少ない。つまり、前方側３４の上部分３８に沿ったわずかな凹面がない。また、図２Ａおよび図２Ｂに見られるように、前方および後方の断面がわずかに楕円形であり、垂直方向の寸法が水平方向の寸法より小さくなっている。
【００３２】
また、図２Ｃの断面図は、多孔質材の内核４０と気孔が少ないまたは無孔材による外皮４２との構造の例を示している。上述の通り、この構造はセルフスキニングフォームを用いて形成されることが可能である。あるいは、外被または外皮４２は、予形成された中核部４０の周りに個別に設けられることも可能である。たとえば、成型された、またはブロックから切り出された発泡体中核部が収縮フィルムまたはディップキャストによる外皮内に挿入されるか、またはこれに被覆される。
【００３３】
図３Ａおよび図３Ｂは、本発明の中空乳房インプラントサイザー５０の例の後方および断面図である。サイザー５０の全体の形状は図１Ａから図１Ｃのサイザー２０と似ており、前方側５２は下側隆起部５４と比較的薄い上側部分５６とを有する。全体として非中空である代わりに、サイザー５０は、後方側６２に開口する空洞部または中空部６０を中に有する連続壁部５８を備える。連続壁部５８は、実質的に一定の厚さを全体として有するが、わずかに拡大している周縁ビードまたはリム６４があり、これはサイザー５０の後方側６２を画定する。図３Ｂに示されるように、周縁リム６４はその下側より上側でやや厚くなっている。しかしこれは一定の厚さになっていてもよい。同様に、リム６４は壁部５８の残りの部分と同じ厚さであることも可能である。
【００３４】
周縁リム６４は全体としてサイザー５０の平坦な後方の境界を画定する。図示される型では、リム６４がわずかな距離だけ内側へ延伸し、これにより画定され中空部６０に続く開口部が最大化される。点線６６で示される別の例では、リムはより内側に続いており、開口部はさらに小さくなっている。最終的には、開口部はサイザー５０の折り畳みおよび展開時に空気が通るのに十分な大きさであればよい。
【００３５】
上述の通り、連続壁部５８は、たとえばセルフスキニング型のシリコンまたはポリウレタンフォームのような圧縮性材料からなることが可能である。あるいは、連続壁部５８は、たとえばシリコンエラストマーのような生体適合性固体のように可撓性であるが、非圧縮性の材料（上述の定義の通り）であることが可能である。
【００３６】
可撓性インプラントサイザー５０の後方側に設けられる空洞部または中空部６０により、サイザーが折り畳まれる、巻かれる、または折られて、乳房空洞部に挿入される際に比較的小さくすることができる。一般に中空部６０は折り畳み用凹部を提供し、すなわち外壁部が折り込まれることが可能であるくぼみを提供する。挿入後、連続壁部５８の材料の弾性により、サイザー５０は元の形状に戻ることが可能である。本発明の材料のその他の重要な特性は、インプラントサイザーが体内に挿入されて元の形状を取り戻すために十分な外側へ向かう弾性圧を周囲の乳房組織に及ぼすことが可能である点である。中空インプラントサイザー５０における上述のリム６４は、特にこれが厚くされている場合は、体内で元の形状を復元するのを助けるための機能を有する。これもまた、挿入後に所望のサイザー形状を形成するための操作または成形を必要とし、特定の形状となるように外向きの圧力を周囲の組織に及ぼすのに十分な弾性を有していない従来のジェル充填サイザーとは対照的である。
【００３７】
図４Ａおよび図４Ｂは、本発明のさらに別の中空乳房インプラントサイザー７０を示しており、これは不均一の壁厚を有する。サイザー７０は、起伏のある前方側７２と、後方の空洞部または中空部７４とを含む。中空部７４は、下方向にオフセットしており、インプラントサイザーの上面７６のかなり下で終端する。連続壁部７８は、空洞部７４を包囲する部分と、非中空の上部フランジ８０とを含む。
【００３８】
図４Ａで後方から見られるように、連続壁部７８は下部周辺部に沿って部分円形リム８２を含み、フランジ８０は実質的に直線の縁部８４で開始する。したがって中空部７４は全体として半円形の後方断面を有する。使用時には、サイザー７０は下方リム８２を空洞部７４内へ巻きこむことにより小さく圧縮することができ、したがってサイザー７０は部分的に折り畳み可能である。
【００３９】
図５Ａおよび図５Ｂは、本発明のさらに別の中空乳房インプラントサイザー９０を示している。前述と同様に、サイザーは起伏のある前方側９２と、少なくとも１つの中空部９６を含む後方側９４とを含む。図５Ａにおいて後方から最もよく見られるように、中空部９６は中央の比較的深い空洞部９８と、１組の対向する浅い切り欠き部１００とを含む。空洞部９８および切り欠き部１００の相対的深さが図５Ｂに示される。図示される実施形態では、切り欠き部１００は、垂直中心線で対称となっており、これにより折り畳み方向を決定し、この場合は上下で位置合わせされた折り畳み用凹部となる。したがってインプラントサイザー９０はそれ自体、垂直中心線に沿って後方へ折り曲がって折り畳まれるまたは巻かれることが可能である。当然ながら、別の圧縮または挿入形状を容易にするためにその他の切り欠き部１００も設けられることが可能であり、図示された構成は一例に過ぎない。
【００４０】
図６から図８は、後方基部と前方の輪郭部分とを有する２つの部分からなる別のインプラントサイザーを示す。２つの部分からなる構成では、１つの基部が複数の輪郭部と接続可能であり、これにより異なるサイザーを評価する際に小さい輪郭部のみを除去および交換するだけでよい。
【００４１】
図６から図８に見られるように、２つの部分からなるサイザー１１０の一例は、後方の基部１１２と前方の輪郭部１１４とを含む。基部１１２は、前方に延伸するフランジ１１８が境界となる全体として平坦な後壁部１１６を有するプレート状の構造を画定する。フランジ１１８は、基部１１２の前方側で輪郭部１１４を受けるポケット１２０を画定する。特に、輪郭部１１４は、前方の予形成された表面１２２と、ポケット１２０内に密接に嵌合する後方の差込部または突起部１２４とを備える。複数の異なる大きさの前方の予形成表面１２２が点線で示されており、これは同じ突起部１２４を有するため基部１１２と結合可能である多様な異なる輪郭を示している。輪郭部１１４は、上述の実施形態のいずれかに係り非中空かつ圧縮可能、または中空かつ折り畳み可能（また圧縮可能でも）あることが可能である。２つの構成部品にそれぞれ一体的に形成される妨げとならないハンドル部１３０、１３２により、連結および分離が容易になる。このようなハンドル部は、挿入、配向、およびサイザーのポケットからの除去を容易にするため、ここで説明される本発明のいずれのサイザーにも含まれることが可能である。
【００４２】
２つの構成部品からなるサイザーのセットは、１つの基部１１２と複数の輪郭部１１４とを含むことが可能であり、これにより外科医は複数のサイザーで判断する選択肢を有する。始めに、基部１１４および１つの輪郭部１１４が挿入され、サイザー１１０を形成するよう連結される。これらの構成部品は、上述の通り圧縮可能または折り畳み可能であり、ユニットとして挿入可能であるが、個別に挿入されることの方が多い。まず基部１１２が挿入され、ポケット部の大きさおよび形状を確認する。１つまたは複数の輪郭部１１４がその後挿入され、所望の膨らみおよび／またはボリュームを確認する。挿入後、基部１１２は診断中は定位置に残されたままであるが、第１輪郭部１１４は折り畳まれ除去されて、第２、第３等の輪郭部に交換されることが可能である。基部１１２は最も大きい寸法を有するため、輪郭部１１４のみを切開部を通して除去、交換する方が容易である。
【００４３】
図９および図１０は、本発明の乳房インプラントサイザーの使用法を示している。図９では、乳房インプラント患者の胴体が、外科医により使用されることが可能であるいくつかの切開部と共に示されている。特に、切開部としては、乳房下部切開１４０、乳輪縁切開１４２、腋下切開１４４を含む。本発明の乳房インプラントサイザーは、最終的なインプラントが入れられるのと同じ切開部から入れられるが、切開部は通常、患者との相談の上で外科医が選択する。したがって本発明のサイザーは、図示される３つの切開部１４０、１４２、１４４のいずれからも、またはこれとは別の切開部からも挿入可能である。
【００４４】
非圧縮容積を有する折り畳まれていない大きさでの乳房インプラントサイザー１５０が図９に胴体の隣に概略的に示されている。サイザー１５０は、上述のサイザー構成のいずれか、または本発明の範囲内のその他の構成を表す。矢印は、弛緩サイズから、非圧縮容積より小さい挿入容積の細長い挿入サイズまたは輪郭１５２への移行を示している。図示される実施形態では、輪郭１５２はらせん状に巻かれた円筒形であるが、細長い形状に単純に圧縮されるか、折り畳まれる等も可能である。別の実施形態では、サイザー１５０はファンネルのような器具を用いて、または小さい開口部を有する中空体のような構造用に内部に真空を用いることにより折り畳まれる。
【００４５】
矢印は、インプラントサイザー１５０の乳房下部切開部１４０から右胸への挿入を示している。外科医は、圧縮されたサイザー１５２を希望に応じて一方のまたは両方の胸に挿入することが可能である。図１０は、各胸の中の空洞部へのサイザー挿入後の患者を示している。有利には、サイザーは、外科医による操作があるとしてもほとんど行われることなく、挿入後に弾性的に元の形状に戻る。この時点で、外科医は選択されたサイザーの大きさおよび形状が患者に適切であるかを観察および判断することができる。当然ながら、比較的低価格かつ使い捨てのサイザーであれば、外科医が最初のサイザーで満足でない場合は連続して別のサイザーが挿入されることが可能である。
【００４６】
また、異なるサイザーが同時に各胸に挿入され、その外観を相互に比較することも可能である。このように、異なる大きさの本発明の乳房インプラントサイザーのセットが、手術の準備に使用されるためにセットとして販売されることが可能である。サイザーは比較的低コストであるため、このセットもまた比較的低価格であり、各サイズおよび／または輪郭ごとに２つずつ提供されることが可能である。
【００４７】
サイジングの難しさを説明すると、従来の調節式サイザーを使用した調査では、ブラジャーのカップサイズを１段階変更するためには平均１８９ｃｃの生理食塩水が必要であったが、カップサイズを変える量は一貫したものではなかった。ＡカップからＣカップに上げるためには、全体で３９１ｃｃ、すなわちカップサイズ毎に１９６ｃｃ必要であった。ＢカップからＤカップへの移行は、全体で４４８ｃｃ、すなわちカップサイズ毎に２２４ｃｃ必要であった。最も大きい変化は、ＡカップからＤカップへの増加であったが、これには４３７ｃｃ、すなわちカップ毎に１４５ｃｃ必要であった。したがって、このようなカップサイズ増加の非線形性は公知であり、様々な情報源による規定の流体量は所望の大きさを達成する助けにはなるが、これは正確ではなく、胸壁大きさ、乳房組織および組織膜の大きさのようなその他の要因により差異が生じる可能性がある。また、インプラントの容積に関して、全ての患者にとって自然であると考えられる範囲はあるが、患者によってはそれより小さ目を求める場合もあれば、それよりも大き目に関心がある患者がいる場合もある。
【００４８】
また、そのコストの高さから、従来のジェル充填サイザーは再利用され、滅菌の工程が必要になる。コストの懸念がなく、広い選択の幅を有する予形成サイザーのセットがあることは有利である。望ましくは、本発明は販売されているあらゆる乳房インプラントに対応するサイザーを乳房インプラントメーカーが提供することを可能にする。これによりインプラントのセットに対応するサイザーのセットも比較的低コストで提供可能である。
【００４９】
一実施形態では、本発明の乳房インプラントサイザーが、ここで図示された各種形状およびその他の形状で多数のサイズ、異なる輪郭で提供される。最近では、患者はインプラントのサイズまた輪郭も選択する。輪郭または膨らみには、標準、薄い、中程度、厚い等が含まれる。前方／後方の形状は、丸いか、またはより楕円形であることが可能である。これらの選択に伴い、インプラントの実際の容積の幅はとても広い。たとえば、カリフォルニア州のアーバイン市にあるアラガン社は、厚いタイプのスタイル２０型のシリコン充填インプラントを２３の異なるインプラント容積、すなわち１２０から８００ｃｃでそれぞれ異なる基部直径のものを提供している。
【００５０】
以上は、市販の様々なサイズおよび形状のインプラントの簡単な説明である。本発明の乳房インプラントサイザーのセットは、アラガン社のスタイル２０型等のようなインプラントスタイルの全範囲に対応して提供されるか、またはある特定のスタイルにおいて異なるサイズのサンプリングとして提供されることが可能である。あるいは、外科医がまずおおよそのサイズを見積り、その後複数の異なるスタイルを試すことを可能にするため、異なるスタイルに渡って複数の類似のサイズのものが１つのセットで提供されることが可能である。また、患者との最初の相談に応じて、特別注文のサイザーのセットが外科医により注文されることも可能である。このように、これらのセットを多様に置き換えることが可能であり意図され、全てを列記することは必要でない。
【００５１】
本発明をある程度特定の例で説明および図示したが、本開示は例として挙げているものであり、当業者であれば本発明の請求項に記載される範囲から逸脱することなく、部品の組み合わせおよび配置に多様な変更が加えられることに留意されたい。
【図１Ａ】
2011505977.tif 000003
【図１Ｂ】
2011505977.tif 000004
【図１Ｃ】
2011505977.tif 000005
【図２Ａ】
2011505977.tif 000006
【図２Ｂ】
2011505977.tif 000007
【図２Ｃ】
2011505977.tif 000008
【図３Ａ】
2011505977.tif 000009
【図３Ｂ】
2011505977.tif 000010
【図４Ａ】
2011505977.tif 000011
【図４Ｂ】
2011505977.tif 000012
【図５Ａ】
2011505977.tif 000013
【図５Ｂ】
2011505977.tif 000014
【図６】
2011505977.tif 000015
【図７】
2011505977.tif 000016
【図８】
2011505977.tif 000017
【図９】
2011505977.tif 000018
【図１０】
2011505977.tif 000019
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
乳房組織内の空洞部への切開部を形成することを含む乳房インプラント手術のために患者の準備をすることと、
対応するインプラントと概ね同じ大きさで非圧縮容積を有する弛緩サイズから、非圧縮容積より小さい挿入容積を有する挿入サイズへインプラントサイザーを圧縮することが可能である高圧縮性材料からなる予形成されたインプラントサイザーを設けることと、
前記インプラントサイザーを弛緩サイズから挿入サイズに圧縮することと、
前記圧縮されたインプラントサイザーを切開部から空洞部へ挿入し、その中で拡張させることと、
前記インプラントサイザーが挿入された乳房の外観を観察することと、
前記インプラントサイザーを空洞部から除去することと
を含む乳房インプラントサイザー用のインプラントの所望の大きさおよび形状を診断するための方法。
【請求項２】
前記インプラントサイザーを、非圧縮容積の約８０％未満の挿入容積である挿入サイズへ圧縮することを含む、請求項１に記載の方法。
【請求項３】
前記インプラントサイザーを、非圧縮容積の約５０％未満の挿入容積である挿入サイズへ圧縮することを含む、請求項２に記載の方法。
【請求項４】
前記高圧縮性材料が、発泡体からなる、請求項１に記載の方法。
【請求項５】
前記インプラントサイザーが発泡体からなり、前方の連続壁部と後方の中空空間とを含む、請求項１に記載の方法。
【請求項６】
前記中空空間が、インプラントサイザーを折り畳むことを可能にする折り畳み用凹部を提供する、請求項５に記載の方法。
【請求項７】
前記圧縮するステップが、インプラントサイザーを細長い形状に巻くことを含む、請求項１に記載の方法。
【請求項８】
前記高圧縮性材料が、セルフスキニングフォームである、請求項１に記載の方法。
【請求項９】
前記非圧縮容積の約８０％未満に圧縮可能である高圧縮性材料からなる予形成された非中空構造を備える、乳房インプラント用の挿入型サイザー。
【請求項１０】
前記高圧縮性材料が、その非圧縮容積の約５０％未満に圧縮可能である、請求項９に記載のサイザー。
【請求項１１】
前記高圧縮性材料が発泡体である、請求項９に記載のサイザー。
【請求項１２】
前記高圧縮性材料がセルフスキニングフォームである、請求項９に記載のサイザー。
【請求項１３】
前記成形体が、前方の連続壁部と後方の中空空間とを備える、請求項９に記載のサイザー。
【請求項１４】
前記中空空間が、折り畳み用凹部を提供する、請求項９に記載のサイザー。
【請求項１５】
対応するインプラントと概ね同じ大きさで弛緩容積を有する弛緩サイズから、弛緩容積より小さい挿入容積を有する挿入サイズへ折り畳まれることが可能である予形成された販売のための折り畳み式インプラントサイザーの少なくとも２つの異なる大きさまたは形状のもの一式を備える、挿入型乳房インプラントサイザーのセット。
【国際調査報告】
2011505977.tif 000020
2011505977.tif 000021
2011505977.tif 000022